(57)【要約】【課題】ロックされているか否かの視認が容易に可能となる引戸用施解錠装置を提供する。【解決手段】引戸用施解錠装置１１において、引戸１３の戸先に設けられる取手枠１５と、揺動一端３５に設けられた係止爪３７が引戸１３の閉止方向に突出され、引戸１３の閉止で揺動して係止爪３７が戸当たり部５１に設けられた受片５５の受穴５７に係止する指掛部材１７と、指掛部材１７に形成される表示窓１９と、取手枠１５の規制面７９に当接面７７が当接して係止方向の回転が規制され、受片５５に向かって突出する切替当接面６９を有し、係止爪３７の係止位置で切替当接面６９が受片５５に押圧されて係止方向と反対方向に回転される表示体２１と、表示体２１に形成され係止方向の回転が規制された表示体２１の回転位置と係止方向と反対方向に回転された表示体２１の回転位置とで表示窓１９に選択的に一致する未ロック表示部２３及びロック表示部２５と、を設けた。【選択図】  図５
2015169047.tif 000002
【特許請求の範囲】
【請求項１】
引戸の戸先に設けられる取手枠と、
揺動一端に設けられた係止爪が前記戸先から前記引戸の閉止方向に突出されるとともに、揺動中心部が前記引戸の戸先木口の長手方向に沿う方向の枢軸で前記取手枠に回転自在に支持され、且つ前記引戸の閉止で揺動して前記係止爪が戸当たり部に設けられた受片の受穴に係止する指掛部材と、
前記指掛部材に形成される表示窓と、
前記係止爪の係止方向に付勢されて回転自在に支持され、前記係止爪の係止位置で切替当接面が前記受片に押圧されて前記係止方向と反対方向に回転される表示体と、
前記表示体に形成され、前記係止方向の回転が規制された前記表示体の回転位置と前記係止方向と反対方向に回転された前記表示体の回転位置とで前記表示窓に選択的に一致する未ロック表示部及びロック表示部と、
を具備することを特徴とする引戸用施解錠装置。
【請求項２】
前記表示体は、前記指掛部材の枢軸と同軸となって回転自在に支持されることを特徴とする請求項１規制の引戸用施解錠装置。
【請求項３】
請求項１または２記載の引戸用施解錠装置であって、
前記表示窓が、前記指掛部材の開放側指掛部底壁に形成され、
前記未ロック表示部及び前記ロック表示部が、前記開放側指掛部底壁の背面収容空間に配置されることを特徴とする引戸用施解錠装置。
【請求項４】
請求項１，２，３のいずれか１つに記載の引戸用施解錠装置であって、
前記表示体に一体に形成されたバネ性の押し戻し部材が設けられ、前記表示体を前記係止爪の係止方向に付勢することを特徴とする引戸用施解錠装置。
【発明の詳細な説明】
【技術分野】
【０００１】
本発明は、引戸用施解錠装置に関する。
【背景技術】
【０００２】
引戸をスライドさせるだけでワンタッチで仮締めする引戸用ラッチ錠が知られている（例えば特許文献１参照）。この引戸用ラッチ錠は、スライドラッチとも称され、窓や出入口、家具などの引戸に用いられる。引戸用ラッチ錠は、戸先木口から爪部材が突出され、障子面に指掛部、操作部等が配置される。爪部材は、揺動する構造となっており、引戸が閉められると、建物枠側（戸当たり部側）の受穴に係止爪（カマ等）が係止する。係止部材は、バネによる付勢力で、受穴に対する係止爪の係止状態を保持する。爪部材には、操作部である開放側指掛部が連結されている。係止状態の係止部材は、開放側指掛部が操作れることにより、係止爪が受穴から外される。この引戸用ラッチ錠は、引戸をスライドさせるだけで仮締めができるので、引戸閉鎖時の跳ね返り防止にもなる。
【先行技術文献】
【特許文献】
【０００３】
【特許文献１】特開２００７−１６４００号公報
【発明の概要】
【発明が解決しようとする課題】
【０００４】
しかしながら、従来の引戸用ラッチ錠は、戸が閉まると自動的に仮締め状態となるが、受穴に対して係止爪がバネの付勢力によってのみ係止されている。従って、例えば風などの外力による衝撃で、バネ力に反して係止爪が受穴から外れてしまうことがあり、これにより引戸や窓が開いたりする不具合がある。このため、係止爪が受穴に係止状態でロックされているか否かの視認が可能となる引戸用施解錠装置の開発要請がある。
【０００５】
本発明は上記状況に鑑みてなされたもので、その目的は、係止爪が受穴に係止状態でロックされているか否かの視認が容易に可能となる引戸用施解錠装置を提供することにある。
【課題を解決するための手段】
【０００６】
次に、上記の課題を解決するための手段を、実施の形態に対応する図面を参照して説明する。
本発明の請求項１記載の引戸用施解錠装置１１は、引戸１３の戸先に設けられる取手枠１５と、
揺動一端３５に設けられた係止爪３７が前記戸先から前記引戸１３の閉止方向に突出されるとともに、揺動中心部３３が前記引戸１３の戸先木口２７の長手方向に沿う方向の枢軸３１で前記取手枠１５に回転自在に支持され、且つ前記引戸１３の閉止で揺動して前記係止爪３７が戸当たり部５１に設けられた受片５５の受穴５７に係止する指掛部材１７と、
前記指掛部材１７に形成される表示窓１９と、
前記係止爪３７の係止方向に付勢されて回転自在に支持され、前記係止爪３７の係止位置で切替当接面６９が前記受片５５に押圧されて前記係止方向と反対方向に回転される表示体２１と、
前記表示体２１に形成され、前記係止方向の回転が規制された前記表示体２１の回転位置と前記係止方向と反対方向に回転された前記表示体２１の回転位置とで前記表示窓１９に選択的に一致する未ロック表示部２３及びロック表示部２５と、
を具備することを特徴とする。
【０００７】
この引戸用施解錠装置１１では、取手枠１５に固定される枢軸３１に、指掛部材１７が回転自在に支持され、また、表示体２１も回転自在に支持されている。指掛部材１７は、係止爪３７が受片５５に係止する回転方向に付勢される。また、表示体２１も、付勢手段によって同じ回転方向、すなわち係止爪３７が受片５５に係止する回転方向に付勢される。
引戸１３が閉められると、戸先から突出している係止爪３７が受片５５に乗り上げた後に受穴５７に入り込み係止する。これにより、引戸１３が戸当たり部５１に仮締めされる。係止爪３７は、受穴５７に到達すると、付勢力によって係止方向に回転して受穴５７に進入する。一方、表示体２１は、受片５５に乗り上げたままの回転位置を保持する。従って、指掛部材１７のみが、表示体２１に対して係止方向に回転することとなる。この指掛部材１７の回転によって、指掛部材１７に形成された表示窓１９が、表示体２１のロック表示部２５に一致する。すなわち、表示窓１９には、ロック表示部２５が表出することとなる。
一方、引戸１３の開放となると、指掛部材１７は、付勢力に抗して回転され、係止爪３７が受穴５７から外れる。係止爪３７が受穴５７から外れると、表示体２１は、切替当接面６９が指掛部材１７よりも係止方向に突出した状態となって、表示窓１９には未ロック表示部２３が配置される。すなわち、表示窓１９には、未ロック表示部２３が表出することとなる。
【０００８】
本発明の請求項２記載の引戸用施解錠装置１１は、請求項１記載の引戸用施解錠装置であって、
前記表示体２１は、前記指掛部材１７の枢軸３１と同軸となって回転自在に支持されることを特徴とする。
【０００９】
この引戸用施解錠装置１１では、表示体２１が枢軸３１に回転自在に支持され、指掛部材１７と同軸となり、指掛部材１７が係止爪３７が受片５５に係止する回転方向に付勢され、また、表示体２１も同じ回転方向である係止爪３７が受片５５に係止する回転方向とされる。
【００１０】
本発明の請求項３記載の引戸用施解錠装置１１は、請求項１または２記載の引戸用施解錠装置１１であって、
前記表示窓１９が、前記指掛部材１７の開放側指掛部底壁４５に形成され、
前記未ロック表示部２３及び前記ロック表示部２５が、前記開放側指掛部底壁４５の背面収容空間８１に配置されることを特徴とする。
【００１１】
この引戸用施解錠装置１１では、指掛部材１７が、開放側指掛部底壁４５を有している。開放側指掛部底壁４５は、指掛部材１７の一部分であるので、係止爪３７が受片５５に乗り上げることによって回転すれば、同時に回転する。表示体２１は、係止回転方向側の例えばロック表示部２５が表示窓１９に配置される場合には、係止回転方向逆側の未ロック表示部２３が表示窓１９から外れて指掛部材１７と重なることとなる。開放側指掛部底壁４５の背面収容空間８１は、このときの未ロック表示部２３の進入空間として利用されることとなる。
【００１２】
本発明の請求項４記載の引戸用施解錠装置１１は、請求項１，２，３のいずれか１つに記載の引戸用施解錠装置１１であって、
前記表示体２１に一体に形成されたバネ性の押し戻し部材７１が設けられ、前記表示体２１を前記係止爪３７の係止方向に付勢することを特徴とする。
【００１３】
この引戸用施解錠装置１１では、押し戻し部材７１によって、表示体２１を、係止爪３７が受片５５に係止する方向と同方向に付勢する。
【発明の効果】
【００１４】
本発明に係る請求項１記載の引戸用施解錠装置によれば、係止爪と受穴との係止状態、すなわち、引戸がロックされているか否かを表示体にて容易に視認できる。
【００１５】
本発明に係る請求項２記載の引戸用施解錠装置によれば、表示体と指掛部材とが枢軸にて同軸に回転自在に支持され、部品点数を削減でき、また１つの枢軸が双方を支持することで省スペース化を図ることができる。
【００１６】
本発明に係る請求項３記載の引戸用施解錠装置によれば、開放側指掛部底壁の背面収容空間を有効に利用して、未ロック表示部またはロック表示部の退避空間を確保でき、装置をコンパクト化できる。
【００１７】
本発明に係る請求項４記載の引戸用施解錠装置によれば、別体のバネ部材等を不要とし、表示体に一体に形成されているので、組立を容易とすることができる。
【図面の簡単な説明】
【００１８】
【図１】本発明の実施形態に係る引戸用施解錠装置の正面図である。
【図２】図１に示した引戸用施解錠装置の縦断面図である。
【図３】図１に示した引戸用施解錠装置の要部分解平断面図である。
【図４】図３に示した表示体及び一部省略した指掛部材の分解斜視図である。
【図５】閉動開始時の動作説明図である。
【図６】係止爪が受片に当たった時の動作説明図である。
【図７】係止爪が受片に乗りあがった時の動作説明図である。
【図８】係止爪が受穴に係止したロック状態の動作説明図である。
【図９】図８の引戸用施解錠装置の正面図である。
【発明を実施するための形態】
【００１９】
以下、本発明に係る実施形態を図面を参照して説明する。
図１は本発明の実施形態に係る引戸用施解錠装置の正面図、図２は図１に示した引戸用施解錠装置の縦断面図、図３は図１に示した引戸用施解錠装置の要部分解平断面図、図４は図３に示した表示体及び一部省略した指掛部材の分解斜視図、図５は閉動開始時の動作説明図、図６は係止爪が受片に当たった時の動作説明図、図７は係止爪が受片に乗りあがった時の動作説明図、図８は係止爪が受穴に係止したロック状態の動作説明図、図９は図８の引戸用施解錠装置の正面図である。
本実施形態に係る引戸用施解錠装置１１は、例えば建物開口部を、直線移動されて開閉する引戸１３に用いて好適となる。引戸用施解錠装置１１は、取手枠１５と、指掛部材１７と、表示窓１９と、表示体２１と、未ロック表示部２３及びロック表示部２５と、を有する。
【００２０】
取手枠１５は、引戸１３における戸先木口２７（図３参照）の引戸表裏面の一方に、上下に長い矩形状枠状となって取り付けられる。この取手枠１５の戸先側の内壁面は、閉止側指掛部２９となる。図２に示すように、取手枠１５には、引戸１３の戸先木口２７の長手方向（図２の上下方向）に沿う方向の枢軸３１が支持されている。
【００２１】
この枢軸３１には、図５に示す指掛部材１７の揺動中心部３３が揺動自在に支持される。枢軸３１に揺動中心部３３が支持された指掛部材１７の揺動一端３５には図３に示す係止爪３７が設けられ、係止爪３７は戸先から引戸１３の閉止方向に突出される（図５参照）。図４に示すように、指掛部材１７は、揺動中心部３３から矩形状の基板部３９が延出し、この基板部３９の延出先端側の一方の面に、一対の係止爪３７が離間して突設される。なお、図４は、指掛部材１７の一部を省略して描いている。指掛部材１７は、金属製の基板部３９に、後述する樹脂製の開放側指掛部４３が一体に成形される。
【００２２】
指掛部材１７には、揺動中心部３３から揺動他端４１に向かって延出する開放側指掛部４３が形成されている。開放側指掛部４３は、取手枠１５の内方で、閉止側指掛部２９に対して手指の入る間隙を隔てて対向配置されている。なお、閉止側指掛部２９は、取手枠１５と一体に固定され、手指が引っ掛けられることで引戸１３を閉止方向へ移動させる。開放側指掛部４３の基部側である揺動中心部３３に近接する側には、図３に示す開放側指掛部底壁４５が連設される。開放側指掛部底壁４５は、図５に示す通常状態、すなわち指掛部材１７が回転されていない状態で、引戸１３表裏面に対して略平行に配置される。
【００２３】
指掛部材１７は、揺動自在となることで、引戸１３の閉止状態から、先ず、開放側指掛部４３に手指が引っ掛けられると、図８に示す時計回りに回転した後、引戸１３を開放方向へ移動させる。指掛部材１７は、指掛付勢バネ４７（図２参照）によって図８の反時計回りに回転付勢されている。
【００２４】
建物開口部には図３に示す戸枠部４９が設けられる。戸枠部４９には、引戸１３の戸先木口２７が当たる戸当たり部５１が設けられる。この戸当たり部５１には、例えばＬ字状に折り曲げられた受部材５３が、戸先木口２７に向かって受片５５が突出するようにして固定される。戸当たり部５１から突出した受片５５には、受穴５７が穿設される。指掛部材１７は、引戸１３が閉止される際、この受片５５に係止爪３７が当たって揺動する。受片５５に係止爪３７が当たった指掛部材１７は、さらに引戸１３が閉められることで、指掛付勢バネ４７に抗して揺動し、係止爪３７が受片５５に乗り上げた後に、指掛付勢バネ４７の付勢力にて受穴５７に係止する。
【００２５】
指掛部材１７には、上記の表示窓１９が形成される。表示窓１９は、本実施形態では開放側指掛部底壁４５の係止回転方向（図３の反時計回り方向）の端縁を図１に示すコ字状に切り欠いて形成されている。表示窓１９の切り欠き面は、視認性を高めるために、外側（図３の下側）に向かって開口が広がるテーパーを有している。なお、この表示窓１９は、開放側指掛部底壁４５に穿孔形成される穴形状としてもよい。
【００２６】
表示体２１は、指掛部材１７とともに枢軸３１に回転自在に支持される。表示体２１は、枢軸３１の貫通する一対の平行な枢軸貫通部５９を有する。図４に示すように、一対の枢軸貫通部５９には、枢軸３１の貫通する軸穴６１が穿設される。一対の枢軸貫通部５９のそれぞれからは一対の切替板部６３が延出する。一対の切替板部６３は、連結板部６５によって連結される。一対の切替板部６３は、指掛部材１７の基板部３９を外側から挟むように配置される。それぞれの切替板部６３の内壁面には、基板部３９との摩擦を軽減するための突条６７が突設される。表示体２１は、指掛部材１７の基板部３９を、外側から一対の枢軸貫通部５９で挟むようにして指掛部材１７とともに枢軸３１に同軸で取り付けられる。
【００２７】
それぞれの切替板部６３には、基板部３９の係止爪３７が突出する側（図４の下側）に、切替当接面６９が形成される。切替当接面６９は、係止爪３７の係止先端と略同位置に回転配置されることで、受片５５に当接可能となっている（図７参照）。
【００２８】
図４に示すように、連結板部６５には、係止爪３７と反対方向に突出する押し戻し部材としての表示体バネ７１が形成される。表示体バネ７１は、連結板部６５に、例えば切り起こし加工によって形成される。表示体バネ７１は、取手枠１５のバネ座７３（図３参照）に当接することで、表示体２１を、係止爪３７の係止する方向（図３の反時計回り方向）と同方向に付勢する。連結板部６５には、切替板部６３の延出方向と反対側に図４に示す起立壁７５が板面を直交させて突設される。起立壁７５は、表示体バネ７１に対面する側の面が、当接面７７となる。表示体バネ７１によって付勢される表示体２１は、当接面７７が、取手枠１５の規制面７９（図３，図５参照）に当接することで、付勢方向の回転が規制される。
【００２９】
このように、表示体２１は、係止爪３７の係止方向に付勢されて枢軸３１に回転自在に支持され、取手枠１５の規制面７９に当接面７７が当接して係止方向の回転が規制される。そして、表示体２１は、図５に示すように、指掛部材１７よりも受片５５に向かって、係止爪３７の突出先端位置と略同等の位置となって突出する上記の切替当接面６９を有する。また、表示体２１は、図８に示す係止爪３７の係止位置で切替当接面６９が受片５５に押圧されて、係止方向と反対方向に回転される。
【００３０】
表示体２１の起立壁７５には、起立先端面に、未ロック表示部２３及びロック表示部２５が形成される。未ロック表示部２３及びロック表示部２５は、着色塗料の塗布や、着色シートの貼着等によって起立先端面に形成される。着色塗料には、蛍光塗料や蓄光塗料が用いられてもよい。本実施形態において、未ロック表示部２３とロック表示部２５とは、表示体２１の係止回転方向側（図３の反時計回り側である右半部）にロック表示部２５が形成され、表示体２１の係止回転逆方向側（図３の時計回り側である左半部）に未ロック表示部２３が形成される。未ロック表示部２３及びロック表示部２５は、係止方向の回転が規制された表示体２１の回転位置（図５に示す未ロック位置）と、係止方向と反対方向に回転された表示体２１の回転位置（図８に示すロック位置）とで、表示窓１９に選択的に一致する。
【００３１】
また、本実施形態において、表示窓１９は、指掛部材１７の開放側指掛部底壁４５に形成される。未ロック表示部２３及びロック表示部２５は、この開放側指掛部底壁４５の背面収容空間８１（図３参照）に、少なくとも一方が配置可能となっている。本実施形態では、未ロック表示部２３が配置可能となっている。
【００３２】
次に、上記構成を有する引戸用施解錠装置１１の作用を説明する。
引戸用施解錠装置１１では、図５に示すように、取手枠１５の閉止側指掛部２９に手指が引っ掛けられ、引戸１３が閉められる。
【００３３】
図６に示すように、引戸１３は、戸先木口２７が戸当たり部５１に当たる直前で、係止爪３７が受片５５に当たる。その状態でさらに引戸１３が閉められると、図７に示すように、戸先から突出している係止爪３７が受片５５に乗り上げた後に、図８に示すように、係止爪３７が受穴５７に入り込み係止する。これにより、引戸１３が戸枠部４９に仮締めされる。
【００３４】
指掛部材１７は、枢軸３１を中心に揺動し、揺動一端３５の係止爪３７が受片５５を乗り越えることで閉止された引戸１３は、図８に示した状態から開放側指掛部４３が同図の時計回りに操作されることで揺動する。これにより、揺動一端３５の係止爪３７が受穴５７から退出、すなわち係止解除となり、引戸１３の開放が可能となる。
【００３５】
引戸用施解錠装置１１では、取手枠１５に固定される枢軸３１に、指掛部材１７と表示体２１とが独立して回転自在に支持されている。指掛部材１７は、係止爪３７が受片５５に係止する回転方向に指掛付勢バネ４７によって付勢される。また、表示体２１は、別の付勢手段である表示体バネ７１によって同じ回転方向、すなわち係止爪３７が受片５５に係止する回転方向と同方向に付勢される。
【００３６】
図５に示した引戸１３の開放状態時、表示体２１は、当接面７７が、取手枠１５の規制面７９に当接して回転が止まっている。この状態で、表示体２１からは、指掛部材１７よりも受片５５に向かって切替当接面６９が突出されている。また、この状態では、未ロック表示部２３が表示窓１９に一致している。すなわち、表示窓１９には、未ロック表示部２３が表出している（図１参照）。
【００３７】
取手枠１５の閉止側指掛部２９に手指が引っ掛けられ、引戸１３が閉められると、戸先から突出している係止爪３７が受片５５に乗り上げた後に受穴５７に入り込み係止する。これにより、引戸１３が戸当たり部５１に仮締めされる。この際、指掛部材１７は、枢軸３１を中心に揺動する。揺動一端３５の係止爪３７が受片５５を乗り越える際の揺動と同期して、表示体２１も受片５５に当接し乗り上げ揺動する。このとき、表示体２１は、図７に示すように、係止爪３７とともに切替当接面６９が受片５５に乗り上げる。すなわち、係止爪３７と切替当接面６９は、バネの付勢力に抗する方向である係止方向と反対方向に回転される。係止爪３７は、図８に示すように、受穴５７に到達すると、付勢力によって係止方向に回転して受穴５７に進入する。
【００３８】
一方、表示体２１は、受片５５に乗り上げたままの回転位置を保持する。すなわち、受片５５に切替当接面６９が当接状態となる。従って、指掛部材１７のみが、表示体２１に対して係止方向に回転することとなる。この指掛部材１７の回転によって、指掛部材１７は、引戸１３開放状態と同じ位置に戻り、指掛部材１７に形成された表示窓１９が、図８に示すように、表示窓１９のロック表示部２５に一致する。すなわち、表示窓１９には、図９に示すように、指掛部材１７と同じ回転角度に回転していない表示体２１のロック表示部２５が表出することとなる。
このように、引戸１３は、係止爪３７が受片５５の受穴５７に確実に係止している場合には、表示窓１９にロック表示部２５が表示される。
【００３９】
これに対し、風等により規定以上の大きな外力が係止爪３７に作用して、指掛部材１７が付勢力に抗して回転され、係止爪３７が受穴５７から外れてしまう場合など係止爪１７と受片５５との係止状態が解かれることがある。ここで、係止爪３７が受穴５７から外れる状態には、係止爪３７が受片５５に乗っている状態と、係止爪３７が受片５５から外れた状態とが考えられる。
【００４０】
係止爪３７が受穴５７から外れ、受片５５に乗っている状態では、受片５５に切替当接面６９が当接している表示体２１に対し、指掛部材１７も係止方向と反対方向に回転された状態となる。このとき、表示体２１は、切替当接面６９が指掛部材１７よりも係止方向に突出した状態、すなわち図７に示したロック前の未ロック時と同様の状態となって、表示窓１９には未ロック表示部２３が配置される。
また、係止爪３７が受片５５から完全に外れてしまった状態、或いは引戸１３の閉鎖をロック状態まで行わなかった状態では、指掛部材１７及び表示体２１がともに回転付勢力によって係止方向に回転され、引戸１３の図５に示した開放時、或いは、図６に示した係止爪３７が受片５５に当たった状態と同様、表示窓１９には、未ロック表示部２３が表出される。
このように、引戸用施解錠装置１１では、係止爪３７が受穴５７に確実に係止している状態以外では、表示窓１９には未ロック表示部２３が配置され、未ロックであることが表示される。
【００４１】
また、引戸用施解錠装置１１では、指掛部材１７が、開放側指掛部底壁４５を有している。開放側指掛部底壁４５は、指掛部材１７の一部分であるので、係止爪３７が受片５５に乗り上げることによって回転すれば、同時に回転する。表示窓１９は、この開放側指掛部底壁４５の係止回転方向の端縁をコ字状に切り欠いて形成されている。上記のように、未ロック表示部２３及びロック表示部２５は、表示窓１９に選択的に配置される。
【００４２】
従って、係止回転方向側の例えばロック表示部２５が表示窓１９に配置される場合には、係止回転方向逆側の未ロック表示部２３が表示窓１９から外れて指掛部材１７と重なることとなる。開放側指掛部底壁４５の背面収容空間８１は、図８に示すように、このときの未ロック表示部２３の進入空間（退避空間）として利用されることとなる。その結果、引戸用施解錠装置１１では、開放側指掛部底壁４５の背面収容空間８１を有効に利用して、未ロック表示部２３またはロック表示部２５の退避空間を確保でき、装置をコンパクト化できる。
【００４３】
なお、引戸用施解錠装置１１は、指掛部材１７の揺動他端４１に設けられる突片（図示略）と、取手枠１５にスライド自在に取り付けられ、スライド一端で指掛部材１７の揺動を許容するとともに、スライド他端で係止爪３７を受穴５７に係止した指掛部材１７の突片に当接して指掛部材１７の係止爪３７が受穴５７から係止解除される方向の揺動を規制する規制部材を有した操作摘み（図示略）と、を具備するものであってもよい。
【００４４】
この突片と、操作摘みとを設けた引戸用施解錠装置１１によれば、操作摘みがロック方向にスライド操作されると、操作摘みと一体の規制部材が突片の揺動許容空間に進入する。揺動許容空間に進入した規制部材は、指掛部材１７の突片に当たり、突片の揺動許容空間への進入を規制する。これにより、指掛部材１７は、揺動が規制され、係止爪３７が受穴５７から退出不能となる。その結果、風などの衝撃による外力によって係止構造の係止が解除されることがなく、ロック状態を確実に維持して引戸１３を施錠状態とすることができる。
【００４５】
従って、本実施形態に係る引戸用施解錠装置１１によれば、係止爪３７が受穴５７に係止状態でロックされているか否か、すなわち、引戸１３がロックされているか否かを表示体２１の未ロック表示部２３，ロック表示部２５により容易に視認することができる。
【符号の説明】
【００４６】
１１…引戸用施解錠装置
１３…引戸
１５…取手枠
１７…指掛部材
１９…表示窓
２１…表示体
２３…未ロック表示部
２５…ロック表示部
２７…戸先木口
３１…枢軸
３３…揺動中心部
３５…揺動一端
３７…係止爪
４５…開放側指掛部底壁
５１…戸当たり部
５５…受片
５７…受穴
６９…切替当接面
７１…押し戻し部材（表示体バネ）
８１…背面収容空間
【図１】
2015169047.tif 000003
【図２】
2015169047.tif 000004
【図３】
2015169047.tif 000005
【図４】
2015169047.tif 000006
【図５】
2015169047.tif 000007
【図６】
2015169047.tif 000008
【図７】
2015169047.tif 000009
【図８】
2015169047.tif 000010
【図９】
2015169047.tif 000011